(57)【要約】【課題】太陽電池セルが固定された裏打板の厚みが不均一であっても樹脂製絶縁層の厚みが薄く且つ均一となる太陽光発電モジュールの製造方法を提供する。【解決手段】樹脂層設置工程（Ｐ１およびＰ２）において基台（放熱基台）４２と太陽電池セル３４が固定された裏打板５９との間に層状に設けられた、相対的に硬質である第１樹脂から成る第１樹脂層６０ａおよびその第１樹脂よりも軟質である第２樹脂から成る第２樹脂層６０ｂは、押圧工程Ｐ３において押圧されることにより、第１樹脂および第２樹脂のうちの相対的に軟質である第２樹脂の一部または全部が外側へ流動させられ、基台４２と裏打板５９との間に残存した樹脂から構成される絶縁層６０は、少なくとも相対的に硬質である第１樹脂から成る第１樹脂層６０ａを介して薄く且つ均一に形成される。【選択図】図６
2007165485.tif 000002
【特許請求の範囲】
【請求項１】
裏打板上に固定された太陽電池セルが絶縁層を介して放熱基台上に固定され、該太陽電池セルの熱が該絶縁層から該放熱基台に伝達される太陽光発電モジュールの製造方法であって、
前記放熱基台と前記太陽電池セルが固定された裏打板との間に、相対的に硬質である第１樹脂および該第１樹脂よりも軟質である第２樹脂を互いに重ねられた状態で層状に設ける樹脂層設置工程と、
前記放熱基台と前記太陽電池セルが固定された裏打板とをそれらの間に前記第１樹脂および第２樹脂を介在させた状態で相互に接近する方向に押圧することにより、前記第１樹脂および第２樹脂のうちの相対的に軟質である第２樹脂の一部または全部を外側へ流動させる押圧工程と、
前記第１樹脂および第２樹脂を硬化させ、前記裏打板上に固定された太陽電池セルを、前記放熱基台と前記太陽電池セルが固定された裏打板との間に残存した樹脂から構成される絶縁層を介して前記放熱基台上に固定する硬化工程と
を、含むことを特徴とする太陽光発電モジュールの製造方法。
【請求項２】
前記第１樹脂および第２樹脂は、エポキシ樹脂から構成され、該第１樹脂は該第２樹脂に対して相対的に高いフィラー含有量を有することを特徴とする請求項１の太陽光発電モジュールの製造方法。
【請求項３】
前記第１樹脂および第２樹脂は、８０乃至１００℃の温度において、１×１０６  Ｐａ以上の弾性差と、２×１０５  Ｐａ・Ｓ以上の粘性差とを有することを特徴とする請求項１または２の太陽光発電モジュールの製造方法。
【請求項４】
前記樹脂層設置工程は、前記第１樹脂および第２樹脂のうちの少なくとも一方を、印刷によって層状に塗布するものである請求項１乃至３のいずれかの太陽光発電モジュールの製造方法。
【請求項５】
前記樹脂層設置工程は、前記第１樹脂および第２樹脂に加えて、その他の１又は２以上の樹脂を互いに重ねられた状態で層状に設けるものであり、
前記押圧工程は、前記放熱基台と前記太陽電池セルが固定された裏打板とをそれらの間に、前記第１樹脂および第２樹脂と前記他の１又は２以上の樹脂とを介在させた状態で相互に接近する方向に押圧するものである請求項１乃至４のいずれかの太陽光発電モジュールの製造方法。
【発明の詳細な説明】
【技術分野】
【０００１】
本発明は、裏打板上に固定された太陽電池セルが絶縁層を介して放熱基台上に固定して、その太陽電池セルの熱が絶縁層から放熱基台へ伝達されるようにした太陽光発電モジュールの製造方法に関する。
【背景技術】
【０００２】
集光型太陽光発電装置は、太陽光を集光させて太陽電池セルに照射することから、コスト構成比において大きな部分を占める太陽電池セルを小さく（または少なく）することができるので注目されている（たとえば非特許文献１）。このような集光型太陽光発電装置においては、集光光が照射される太陽電池セルの発熱が大きいことから、電気的絶縁を維持しつつ、太陽電池セルの熱を絶縁層を通して放熱基台へ伝達させることが、高い発電効率を維持する上で重要な技術となっている。
【０００３】
特許文献１は、そのような技術を提案するものである。この特許文献１では、太陽電池セルが固定された裏打板を絶縁層を介して放熱基台に押圧してそれを埋設させることにより太陽光発電モジュールを製造する方法が開示されている。
【０００４】
ところで、上記特許文献１に示される集光型太陽光発電装置の太陽光発電モジュールでは、太陽電池セルが固定された裏打板を樹脂製の絶縁層を介して放熱基台に押圧しつつその樹脂製の絶縁層を加熱硬化させることより、太陽電池セルが固定された裏打板が絶縁層を介して放熱基台に接着され、固定される。この樹脂製の絶縁層は、耐電圧を保証する上では厚みを大きくする必要がある反面、太陽光の集光によって加熱される太陽電池セルの可及的に放熱基台に熱伝導させる上では厚みを小さくする必要がある。この太陽電池セルの放熱は、集光型太陽光発電装置のエネルギ変換効率を高く維持する上で、きわめて重要な問題である。
【非特許文献１】荒木  外８名、「変換効率２８％の集光式太陽光発電装置開発」、電気製鋼，２００４年７月、第７５巻第３号、ｐ１６５−１７２
【特許文献１】特開２００５−１４２３８５号公報
【発明の開示】
【発明が解決しようとする課題】
【０００５】
ところで、十分な接着力を得るためには比較的大きな圧力で加圧されることが必要である一方で、上記絶縁層を構成する樹脂は、その硬化前においては高粘性流体であることから、加圧時には流動して太陽電池セルが固定された裏打板の下から押し出される。一般に、太陽電池セルが固定された裏打板の厚みはそれほど一定ではないため、樹脂製の絶縁層の厚みも一定ではない。また、押し出されて薄くなった残存樹脂ではその内部摩擦も小さくなるので、さらに流動性が高まり、益々薄くなる傾向となる。このため、僅かな形状のばらつきや加圧の不均等が発生すると加速度的に厚さがばらついてその分布の不均等が発生する。また、太陽電池セルが固定された裏打板の周辺部の樹脂は容易に押し出されるが、中心部の樹脂はなかなか押し出されないため、大きな残留歪みが発生し、太陽電池セル内で転移が発生し易くなり耐久性が損なわれる。これを避けようとして押圧条件を厳しくすると、製造工数が増加して生産性が損なわれるという不都合が発生する。
【０００６】
本発明は以上の事情を背景として為されたものであり、その目的とするところは、太陽電池セルが固定された裏打板の厚みが不均一であっても樹脂製絶縁層の厚みが薄く且つ均一となる太陽光発電モジュールの製造方法を提供することにある。
【課題を解決するための手段】
【０００７】
前記目的を達成するための請求項１に係る発明の要旨とするところは、裏打板上に固定された太陽電池セルが絶縁層を介して放熱基台上に固定され、その太陽電池セルの熱がその絶縁層からその放熱基台に伝達される太陽光発電モジュールの製造方法であって、(a) 前記放熱基台と前記太陽電池セルが固定された裏打板との間に、相対的に硬質である第１樹脂およびその第１樹脂よりも軟質である第２樹脂を互いに重ねられた状態で層状に設ける樹脂層設置工程と、(b) 前記放熱基台と前記太陽電池セルが固定された裏打板とをそれらの間に前記第１樹脂および第２樹脂を介在させた状態で相互に接近する方向に押圧することにより、前記第１樹脂および第２樹脂のうちの相対的に軟質である第２樹脂の一部または全部を外側へ流動させる押圧工程と、(c) 前記第１樹脂および第２樹脂を硬化させ、前記裏打板上に固定された太陽電池セルを、前記放熱基台と前記太陽電池セルが固定された裏打板との間に残存した樹脂から構成される絶縁層を介して前記放熱基台上に固定する硬化工程とを、含むことを特徴とする。
【０００８】
また、請求項２に係る発明の要旨とするところは、請求項１に係る発明において、前記第１樹脂および第２樹脂は、エポキシ樹脂から構成され、その第１樹脂はその第２樹脂に対して相対的に高いフィラー含有量を有することを特徴とする。
【０００９】
また、請求項３に係る発明の要旨とするところは、請求項１または２に係る発明において、前記第１樹脂および第２樹脂は、８０乃至１００℃の温度において、１×１０６  Ｐａ以上の弾性差と、２×１０５  Ｐａ・Ｓ以上の粘性差とを有することを特徴とする。
【００１０】
また、請求項４に係る発明の要旨とするところは、請求項１乃至３のいずれかに係る発明において、前記樹脂層設置工程は、前記第１樹脂および第２樹脂のうちの少なくとも一方を、印刷によって層状に塗布するものである。
【００１１】
また、請求項５に係る発明の要旨とするところは、請求項１乃至４のいずれかに係る発明において、(a) 前記樹脂層設置工程は、前記第１樹脂および第２樹脂に加えて、その他の１又は２以上の樹脂を互いに重ねられた状態で層状に設けるものであり、(b) 前記押圧工程は、前記放熱基台と前記太陽電池セルが固定された裏打板とをそれらの間に、前記第１樹脂および第２樹脂と前記他の１又は２以上の樹脂とを介在させた状態で相互に接近する方向に押圧するものであることを特徴とする。
【発明の効果】
【００１２】
請求項１に係る発明の太陽光発電モジュールの製造方法によれば、樹脂層設置工程において放熱基台と前記太陽電池セルが固定された裏打板との間に相対的に硬質である第１樹脂およびその第１樹脂よりも軟質である第２樹脂は、押圧工程において押圧されることにより、前記第１樹脂および第２樹脂のうちの相対的に軟質である第２樹脂の一部または全部を外側へ流動させられ、硬化工程においてそれら第１樹脂および第２樹脂が硬化させられ、前記裏打板上に固定された太陽電池セルが、前記放熱基台と前記太陽電池セルが固定された裏打板との間に残存した樹脂から構成される絶縁層を介して前記放熱基台上に固定される。このため、太陽電池セルが固定された裏打板の厚みが不均一であっても、少なくとも相対的に硬質である第１樹脂によって絶縁層が形成されるので、絶縁層が薄く且つ均一に形成される。
【００１３】
また、請求項２に係る発明の太陽光発電モジュールの製造方法によれば、前記第１樹脂および第２樹脂は、エポキシ樹脂から構成され、その第１樹脂はその第２樹脂に対して相対的に高いフィラー（充填剤）の含有量を有することにより、相対的に硬質とされる。このフィラーは、単に第１樹脂と第２樹脂との間に硬さの差を設けるだけでなく、熱伝導率を高める機能を備えるものであり、たとえば、炭酸カルシウム、酸化チタン、高純度アルミナ、短鎖酸化マグネシウム、酸化ベリリウム、窒化アルミニウムなどの高い熱伝導性を有する無機材料が、好適に用いられる。
【００１４】
また、請求項３に係る発明の太陽光発電モジュールの製造方法によれば、前記第１樹脂および第２樹脂は、８０乃至１００℃の温度において、１×１０６  Ｐａ以上の弾性差と、２×１０５  Ｐａ・Ｓ以上の粘性差とを有することから、第２樹脂は第１樹脂よりも軟質とされる。
【００１５】
また、請求項４に係る発明の太陽光発電モジュールの製造方法によれば、前記樹脂層設置工程は、前記第１樹脂および第２樹脂のうちの少なくとも一方を、印刷によって層状に塗布するものであるので、比較的容易かつ均等の厚みで第１樹脂および第２樹脂のうちの少なくとも一方が層状に塗布される。
【００１６】
また、請求項５に係る発明の太陽光発電モジュールの製造方法によれば、(a) 前記樹脂層設置工程は、前記第１樹脂および第２樹脂に加えて、その他の１又は２以上の樹脂を互いに重ねられた状態で層状に設けるものであり、(b) 前記押圧工程は、前記放熱基台と前記太陽電池セルが固定された裏打板とをそれらの間に、前記第１樹脂および第２樹脂と前記他の１又は２以上の樹脂とを介在させた状態で相互に接近する方向に押圧するものであることから、３層以上の樹脂層により絶縁層を構成することができる。
【００１７】
ここで、好適には、前記第１樹脂は、第２樹脂に対して、重合度が高く、分子量が大きいものである。
【００１８】
また、好適には、前記樹脂層設置工程は、前記第１樹脂および第２樹脂を前記放熱基台および前記太陽電池セルが固定された裏打板の対向面の一方に順次塗布するか、或いは両方に第１樹脂および第２樹脂の一方および他方をそれぞれ塗布することにより、少なくとも押圧工程における押圧状態において、第１樹脂および第２樹脂を互いに重ねられた状態で層状となるように設ける。
【００１９】
また、好適には、前記押圧工程と硬化工程とは、押圧部材による押圧下において加熱されることより、同時に実行される。好適には、２０Ｋｇｆ／ｃｍ２  の圧力が印加された状態で１７０℃の温度で１０分間加熱されることにより、前記第１樹脂および第２樹脂のうちの相対的に軟質である第２樹脂の一部または全部を外側へ流動させられるとともに、それら第１樹脂および第２樹脂が硬化させられ、前記裏打板上に固定された太陽電池セルが、前記放熱基台と前記太陽電池セルが固定された裏打板との間に残存した樹脂から構成される絶縁層を介して前記放熱基台上に固定される。
【００２０】
また、好適には、前記裏打板は、前記太陽電池セルよりも大きい面積を有する金属製板材であり、前記押圧工程において前記絶縁層に埋設される。この場合には、押圧工程において押圧部材がその裏打板に圧力を付加することにより、太陽電池セルを押圧することなく比較的容易に押圧してその金属製板材を絶縁層内に埋設することができる。
【００２１】
また、好適には、前記押圧工程は、押圧部材により、剥離シートを介して、前記太陽電池セルが固定された裏打板を前記放熱基台に向かって加熱しつつ押圧するものである。この場合には、押圧し加熱することにより流動させられた第２樹脂が太陽電池セルや押圧部材に付着することが好適に回避されるとともに、押圧力が均等に分散されて残留歪みが緩和される利点がある。
【００２２】
また、前記剥離シートは、前記押圧工程における温度よりも高い融点を有し且つその押圧工程における温度よりも低いガラス転移点を有する樹脂から成るものである。この樹脂としては、２６４℃の融点と６９℃のガラス転移点を有するＰＥＴ樹脂（ポリエチレンフタル酸エステル樹脂）が好適に用いられる。
【００２３】
また、好適には、下端面が太陽電池セルに対向するようにその太陽電池セルの真上位置に立設され、一次光学系により集光された太陽光をその太陽電池セルへ導くためのナトリウム含有ガラス製の柱状光学部材と、その柱状光学部材の下端面と太陽電池セルとの間に充填された透明樹脂と、その柱状光学部材の下端部、透明樹脂、および太陽電池セルを覆う封止樹脂とを有するものである。
【００２４】
また、前記一次光学系は、フレネルレンズ等の集光レンズであってもよいが、凹面鏡等の太陽光を反射させて集光する集光反射鏡であってもよい。
【００２５】
また、前記柱状光学部材は、その上端面に入射させられた集光後の太陽光を伝播する過程の全反射を利用してエネルギ的に均等化し、下端面に僅かな距離を隔てて対向する太陽電池セルに入射させる柱状の誘電体であり、二次光学系を構成する。その柱状光学部材は、光透過性の高い材料であるガラスが好適に用いられ、特に、汎用かつ安価で加工が容易であるソーダガラス或いはソーダ石灰ガラスのようなナトリウム含有ガラスが好適に用いられる。
【００２６】
上記二次光学系を構成する柱状光学部材としては、入射面あるいは射出面と平行な断面における形状が正方形であるものが広く知られているが、それ以外にもその断面形状が正方形以外の四角形、四角形以外の多角形、円形など、種々の形状のものを用いることもできる。また、その二次光学系は、射出面側ほど断面積が小さくなるテーパ形状とされることがこのましいが、長手方向のどの部位においても一様な断面積を有する形状であってもよい。
【００２７】
また、好適には、前記柱状光学部材の上端面には、反射防止膜として、光学レンズに広く用いられているフッ化マグネシウム層やフッ化カルシウム層の単層又は多層構造、さらに好適には、アルミナ（Ａｌ２  Ｏ３  ）とチタニア（ＴｉＯ２  ）の２層又は多層構造から構成されることができる。反射防止膜がアルミナ（Ａｌ２  Ｏ３  ）とチタニア（ＴｉＯ２  ）の２層又は多層構造から成る場合は、水分に起因する劣化防止の観点から望ましい。反射防止膜のつけ方としては、たとえば真空蒸着法を用いることができるが、真空蒸着法に限定されず、種々の公知の方法を用いることができる。二次光学系の入射面に反射防止膜が設けられている場合、膜状とされた保護部材（すなわち薄膜）が反射防止膜の上に積層されてもよいし、逆に、反射防止膜が薄膜の上に積層されてもよい。また、入射面に薄膜が設けられていなくてもよい。
【００２８】
また、好適には、前記柱状光学部材の側壁面には、テクスチャリング加工や撥水処理が施される。テクスチャリング加工は、多数の微小な長手状凸条或いは長手状凹溝状の細かな凹凸であって、レーザ光の照射による表面加工、遊離砥粒によるバフ研磨加工、固定砥粒を有する砥石或いは研磨布紙による研磨加工によって、好適には長手方向に沿う方向に形成されるが、その柱状光学部材の長手方向に沿った方向成分を有する方向に加工たとえば斜め方向に形成されたものでもよいし、斜め方向のものが互いに交差したメッシュ状に形成されたものでもよい。上記撥水処理は、水滴の接触角が大きいフッ素樹脂などがコーティングされる。
【００２９】
また、柱状光学部材の下端面とそれに対向する太陽電池セルの入射面との間に介在させられる透明樹脂は、たとえばゲル状のエチレンビニルアルコール樹脂（ＰＶＡ樹脂）などの光学特性の良い材料から構成されるが、他の樹脂材料であってもよい。
【００３０】
また、前記封止樹脂は、好適には、遮光部材として機能するように不透明着色樹脂から構成される。この不透明着色樹脂は、前記透明樹脂、柱状光学部材、太陽電池セルに対して接着する材料から選択される。その不透明着色樹脂は、好適には、白色かつ非透明の粉末から成る充填材が含まれる白色樹脂から構成される。この充填剤には、たとえば、炭酸カルシウム、酸化チタン、高純度アルミナ、短鎖酸化マグネシウム、酸化ベリリウム、窒化アルミニウムなどの高い熱伝導性および光反射性を有する無機材料が、好適に用いられる。この封止樹脂には、シランカップリング剤などの密着性を高める接着助剤が適宜混合される。
【００３１】
また、前記封止樹脂の母剤樹脂は、耐光性、耐熱性、自己接着性の点で自己接着性ＲＴＶシリコン樹脂が用いられるが、アクリル樹脂、ポリエステル樹脂等から構成されてもよい。
【００３２】
また、前記太陽電池セルは、III-V 族化合物系半導体から構成されたチップであり、金属製配線リボンが端縁部に接続されたものである。このように、太陽電池セルが比較的活性の高い材料で構成され、その端縁部に金属製配線リボンが接続されて封止が比較的困難な場合でも、太陽光発電装置の耐久性が一層高められる。
【００３３】
また、前記太陽電池セルの表面の短縁部や裏面には、集電のための金属製配線リボンが半田付或いはろう付により電気的に接続される。この金属製配線リボンは、テープ状の所定幅の薄い金属板であり、抵抗が低く、熱伝導性が高く、水分に対して安定な材料が用いられる。たとえば、ニッケルメッキされた無酸素銅、銅／窒化アルミニウム／銅の積層板、銅／酸化アルミニウム／銅の積層板等が好適に用いられる。
【００３４】
上記太陽電池セルの入射面には、発電効率を高めるために、入射光の反射を防止する反射防止膜が設けられる。この反射防止膜は、アルミナ（Ａｌ２  Ｏ３  ）とチタニア（ＴｉＯ２  ）の２層又は多層構造から構成されることができる。
【発明を実施するための最良の形態】
【００３５】
以下、本発明の一実施例を図面を参照して詳細に説明する。なお、以下の実施例において図は適宜簡略化或いは変形されており、各部の寸法比および形状等は必ずしも正確に描かれていない。
【００３６】
図１は、本発明の一実施例である集光型太陽光発電装置１０が太陽光追尾装置１２に装着された状態を示す斜視図である。この太陽光追尾装置１２は、集光型太陽光発電装置１０を常時太陽に向かうように位置させるものであって、地軸に対して平行となるように水平面に対して所定角度θ即ち緯度に相当する角度だけ傾斜させられた傾斜軸心Ｃ周りに回転可能に設けられ、且つ減速機付きの追尾モータ１４によってその傾斜軸心Ｃまわりに回動角度が変化させられる傾斜梁１６と、その傾斜梁１６の中間部において水平な軸心Ｈまわりに回転可能に設けられ、且つ減速機付きの高度修正モータ１８によってその水平軸心Ｈまわりに回動角度が変化させられる一対の受板２０とを備えている。この集光型太陽光発電装置１０は、高さ（厚さ）に対して十分に大きい短辺および長辺を有する長手箱状を成し、その一対の受板２０の上にそれぞれ載置された状態でそれに固定されている。
【００３７】
上記太陽光追尾装置１２は図示しない太陽光センサおよび制御装置を備えており、その制御装置は、太陽光センサからの信号に基づいて太陽の位置を算出し、集光型太陽光発電装置１０がその太陽に向かうようにすなわち集光型太陽光発電装置１０の受光面が太陽光に対して常時直角となるように追尾モータ１４および高度修正モータ１８を駆動する。地球の自転に対応する日の出から日の入りまでの太陽の動きを追尾する制御は専ら追尾モータ１４により行われるが、地球の公転に対応する太陽高度の変化に対する制御は専ら高度修正モータ１８により行われる。
【００３８】
図２は上記集光型太陽光発電装置１０の側方からを示す斜視図であり、図３はその一部を拡大して示す図である。これらの図２および図３に示される集光型太陽光発電装置１０は、内部の構成を示すためにその側板２２が取り外されている。この集光型太陽光発電装置１０は、太陽光を集光するための複数個（本実施例では３６個）の集光レンズ２８（すなわち一次光学系）を有する集光板３０と、その集光板３０の裏側に所定の間隔を隔てて平行に固設された支持板３２と、その支持板３２上の上記複数個の集光レンズ２８によりそれぞれ集光された太陽光を受ける位置にそれぞれ配設された複数の太陽電池セル３４とを備えている。なお、上記支持板３２の裏面の外周縁には、補強板３８が固定されている。
【００３９】
上記複数個の集光レンズ２８は、図４に示すように、球面状の表面と階段状の環状段差を有する凹凸状の裏面とから成る所謂ドーム型フレネルレンズからそれぞれ構成されており、たとえばアクリル樹脂などの光学的性質に優れた樹脂材料が射出成形などの型成形によって形成されることにより相互に一体的に構成されている。集光板３０は、そのように一体的に構成された複数個の集光レンズ２８が矩形のレンズ固定枠３６内に固定されることにより構成されている。
【００４０】
支持板３２は、上記レンズ固定枠３６と同様の大きさの長方形状を有するとともに、好ましくはアルミニウム合金、銅合金などの熱伝導性の高い金属板から構成され、連結柱３７を介してそのレンズ固定枠３０と互いに平行となるように相互に連結されている。この支持板３２には、集光レンズ２８によって集光された太陽光により発電するための複数個の太陽光発電モジュール４０が各集光レンズ２８の集光位置すなわち直下に複数個配設されている。図４に示されるように、この太陽光発電モジュール４０は、支持板３２に密着状態で固定され且つ前記太陽電池セル３４が中央部に載置された金属製の基台（座板）４２と、基台４２に立設された４本の支柱４４を介してその基台４２から所定距離上方に離隔した位置に設けられ、その太陽電池セル３４の真上に位置する部分に貫通穴４６が形成された遮光板４８と、その遮光板４８によって支持されることにより太陽電池セル３４の真上位置に立設され、その貫通穴４６を通過した太陽光の強度を均等化して太陽電池セル３４の上面である受光面に導くホモジナイザ５０（すなわち二次光学系）とを備えている。上記基台４２は、たとえばアルミニウム合金のような熱伝導率が高い金属により構成され、太陽光が集光されて加熱される太陽電池セル３４の熱を伝導により放熱するための放熱基台として機能する。
【００４１】
上記遮光板４８は、発電のために集光レンズ２８によって集光された太陽光のみを太陽電池セル３４へ向かって通過させる一方で、発電に利用できない光を遮光して太陽電池セル３４の付近の温度上昇を緩和する機能を備えている。
【００４２】
上記ホモジナイザ５０は、貫通穴４６付近から太陽電池セル３４側に向かうに従って断面積が小さくなる角錐状を成し、内側面における界面全反射（界面で全反射すること）を繰り返しつつ太陽電池セル３４側に向かう過程で断面積内の光エネルギの強度分布を均等化させる機能を備えている。なお、ホモジナイザ５０の寸法は、たとえば高さ４０ｍｍ、射出面（太陽電池セル３４側の面）が太陽電池セル３４と同一の寸法（たとえば７ｍｍ角）の角柱状光学部材である。
【００４３】
このホモジナイザ５０はたとえばソーダガラス製であるが、たとえば、そのソーダガラスよりも比較的ナトリウム成分が少なく、たとえば10.7Na２O-16.4CaO-72.9SiO２  という組成として知られるソーダ石灰ガラスが用いられてもよい。
【００４４】
このホモジナイザ５０の上端面である入射面には、光波干渉を利用して反射光を抑制するための反射防止膜５２が積層されている。この反射防止膜５２は本実施例ではアルミナ（Ａｌ２  Ｏ３  ）とチタニア（ＴｉＯ２  ）の２層又は多層構造のＴｉＯ２  ／Ａｌ２  Ｏ３  反射防止膜からなり、その膜厚は例えば１２０ｎｍ程度とされている。この反射防止膜５２は、本実施例では真空蒸着法によって付けられている。さらに、ホモジナイザ５０の４つの側面の全部、反射防止膜５２を介したホモジナイザ５０の上面、太陽電池セル３４に対向する下端面には、保護部材或いは撥水膜として機能する薄膜５４がコーティングされている。この薄膜５４は、本実施例では、金型の離型剤などにも用いられる汎用的なフッ素樹脂であり、屈折率は１．３４である。この薄膜５４は、本実施例では、ハイドロフルオロエーテル（Ｃ４  Ｆ９  ＯＣＨ３  ）を溶媒とし、その溶媒に溶解させられた上記フッ素樹脂がディッピングによって塗布された後、加熱処理されることで溶剤が除去されて形成され、例えば数十ｎｍ〜２０ｎｍ程度の厚さとされる。
【００４５】
上記太陽電池セル３４は、たとえばInGaP/InGaAs/Ge として知られるように、III-V 族化合物系半導体がGaAs等の単結晶基板の上に結晶成長させられることによりチップ上に構成され、吸収波長帯が異なる複数種類のｐｎ接合、たとえば底部接合層、中間部接合層、及び上部接合層が順次積層された多接合型構造を備えたものであり、底部接合層、中間部接合層、及び上部接合層にそれぞれ設けられているｐｎ接合は、電気的に直列に接続されるとともに、中心波長が相互に異なる吸収波長帯を備えており、例えば波長３００〜６３０（ｎｍ）を上部接合層が、波長６３０〜９００（ｎｍ）を中間部接合層が、波長９００〜１７００（ｎｍ）を底部接合層がそれぞれ吸収することにより、太陽光の波長帯のうち吸収波長帯を広域として高い変換効率が得られるようになっている。
【００４６】
図４に示すように、前記太陽電池セル３４は、その下面全体に半田づけされたテープ状或いはリボン状の金属帯板である第１リード電極５６と、その上面の端縁部に半田づけされたテープ状の第２リード電極５８と、太陽電池セル３４よりも大きい面積を有してその太陽電池セル３４の裏面に第１リード電極５６を介して半田づけなどにより固着された裏打板５９とを備え、カーボン、ガラス繊維、アルミナ（Ａｌ２  Ｏ３  ）粉、及び金属粉のうち少なくともひとつを含む充填剤すなわち熱伝導性を高めるためのフィラーを分散させた合成樹脂から成る接着層６０に少なくともその一部、好適にはその全体が埋設された状態で固定されることにより前記基台４２の中央部に固設されている。上記太陽電池セル３４は、その第１リード電極５６および第２リード電極５８を用いて相互に直列接続され、高い出力電圧が得られるようになっている。
【００４７】
上記ホモジナイザ５０の下端面とそれに対向するように配置された太陽電池セル３４との間には、透明樹脂６２が充填された僅かな隙間が形成されている。この透明樹脂６２は、水分の進入を防止するために上記隙間に充填され、耐熱性が高くかつ光学特性の良い材料たとえばゲル状のシリコーン系樹脂から構成される。
【００４８】
そして、太陽光を遮光し且つ水分の進入を封止して上記透明樹脂６２の劣化を阻止するために、不透明着色樹脂たとえば封止樹脂６４が、太陽電池セル３４を中心として、ホモジナイザ５０の下端部側面以下を覆う厚みで塗布されかつ接着されている。封止樹脂６４は、たとえば、自己接着性ＲＴＶシリコーン樹脂内に、炭酸カルシウム、酸化チタン、高純度アルミナ、高純度酸化マグネシウム、酸化ベリリウム、窒化アルミニウムなどの高い熱伝導性および光反射性を有する白色かつ非透明の粉末である無機材料を充填剤として含むことにより白色とされ、太陽光の遮光性および反射性が高められている。また、母剤樹脂である上記自己接着性ＲＴＶシリコーン樹脂には、シランカップリング剤などの密着性を高める接着助剤の他に、水蒸気透過性が低いという性質を有するフッ素化シリコーン樹脂が１０重量％以上の割合で混合されていることから、そのフッ素化シリコーン樹脂の水蒸気低透過性によって水蒸気の進入が抑制されるようになっている。
【００４９】
上記封止樹脂６４は、たとえば５０Ｐａ・ｓ以下の粘度を有する流動状態で上記太陽電池セル３４を中心とする基台４２上に塗布された後、その塗布状態の基台４２が減圧容器内においてたとえば３ｍＨｇ以下で６０秒以上の時間で溶剤の放出および脱泡され、所定の硬化温度で熱硬化処理される。上記塗布状態における負圧（真空）脱法により、封止樹脂６４が第１リード電極５６および第２リード電極５８と基台４２或いは太陽電池セル３４との間の狭隘部に充填され、水蒸気の進入が防止されている。
【００５０】
さらに、上記封止樹脂６４の外表面上には、水蒸気の透過を抑制する緻密な組織から構成されたシランカップリング末端基を有するフッ素樹脂から成るコート層６６が設けられている。このコート層６６は、封止樹脂６４の厚み方向に重ねられればよいので、封止樹脂６４の下面、すなわち太陽電池セル３４、第１リード電極５６および第２リード電極５８、基台４２等と封止樹脂６４との間に設けられてもよい。
【００５１】
図５の斜視図に示すように、前記太陽電池セル３４は、たとえば７ｍｍ角の矩形板状であり、たとえば０．１５〜０．１７ｍｍ程度の厚みを備えている。第１リード電極５６および第２リード電極５８は、表面に半田メッキが施された銅板製であり、その幅方向長さが太陽電池セル３４の１辺と略等しい寸法とされ、厚みが約０．１ｍｍ程度とされている。前記裏打板５９は、太陽電池セル３４と同程度の熱膨張率を有し、接着層６０よりも熱伝導製の高い材質から成る。たとえば、第１リード電極５６および第２リード電極５８は、０．１ｍｍ程度の厚さの矩形板状体であり、たとえば４２ｗｔ％Ｎｉ−Ｆｅ合金から構成されて、Ｓｎメッキが表面に施されている。この裏打板５９は、互いの熱膨張率が１桁程度相違する太陽電池セル３４と第１リード電極５６および第２リード電極５８とを接合する際に、半田付け後、常温へ低下する過程で接合部に大きな剪断応力が発生しないようにするものである。
【００５２】
上記接着層６０は、エポキシ樹脂から成る第１樹脂層６０ａおよび第２樹脂層６０ｂから構成されている。第１樹脂層６０ａは、第２樹脂層６０ｂに対して、フィラー含有量が多く、硬化前段階では、重合度が高く且つ分子量が大きいので、高い粘性を備えており、太陽電池セル３４が固着された押圧状態で硬化させられたものである。
【００５３】
以上のように構成された集光型太陽光発電装置１０では、太陽光追尾装置１２によって太陽光に対して直角となるように常時位置させられる結果、集光レンズ２８により集光された太陽光はその集光位置に位置させられた遮光板４８の中央部に設けられた貫通穴４６を通過した後に、薄膜５４および反射防止膜５２を通過してホモジナイザ５０に入射する。そして、所定の入射角でホモジナイザ５０の上端面に入射した光は、ホモジナイザ５０の側面で界面全反射を繰り返しつつ進行することで混合（均一化）された後に太陽電池セル３４に入射される。太陽電池セル３４の受光面における入射エネルギの面分布が均一であるので、変換効率が高められる。
【００５４】
次に、上記の太陽光発電モジュール４０の製造方法を図６を用いて説明する。図６の第１樹脂塗着工程Ｐ１では、第１樹脂が、スクリーン印刷によって基台４２上に塗布され、第１樹脂層６０ａが形成される。図７はこの状態を示している。次いで、第２樹脂塗着工程Ｐ２では、第２樹脂が、スクリーン印刷によって基台４２上の第１樹脂層６０ａ上に塗布され、第２樹脂層６０ｂが形成される。図８はこの状態を示している。本実施例では、第１樹脂塗着工程Ｐ１および第２樹脂塗着工程Ｐ２が、基台４２上に、第１樹脂およびその第１樹脂よりも軟質である第２樹脂を互いに重ねられた状態で層状に設ける樹脂層設置工程に対応している。上記第１樹脂および第２樹脂はフィラー入り未硬化エポキシ樹脂である流動性エポキシ樹脂から構成され、第１樹脂はその第２樹脂に対して相対的に高いフィラー（充填剤）の含有量を有するとともに、重合度が高く、分子量が大きいものであって相対的に硬質とされる。前記第１樹脂および第２樹脂は、たとえば、８０乃至１００℃の温度において、１×１０６  Ｐａ以上の弾性差と、２×１０５  Ｐａ・Ｓ以上の粘性差とを有することから、第２樹脂は第１樹脂よりも軟質とされる。上記フィラーは、単に第１樹脂と第２樹脂との間に硬さの差を設けるだけでなく、熱伝導率を高める機能を備えるものであり、たとえば、炭酸カルシウム、酸化チタン、高純度アルミナ、短鎖酸化マグネシウム、酸化ベリリウム、窒化アルミニウムなどの高い熱伝導性を有する無機材料が、好適に用いられる。
【００５５】
次に、押圧工程Ｐ３では、たとえば図９に示すプレス装置において、駆動装置により駆動される押圧部材７０によって２０Ｋｇｆ／ｃｍ２  の圧力が印加された状態で１７０℃の温度で１０分間加熱されることにより、基台４２と太陽電池セル３４が固定された裏打板５９とをそれらの間に第１樹脂層６０ａおよび第２樹脂層６０ｂを介在させた状態で相互に接近する方向に押圧されて第１樹脂および第２樹脂のうちの相対的に軟質である第２樹脂から成る第２樹脂層６０ｂの一部または全部を裏打板５９の外側へ流動させられる。続く、硬化工程Ｐ４では、上記の押圧状態が維持される過程で、第１樹脂および第２樹脂が硬化させられ、裏打板５９上に固定された太陽電池セル３４が、基台４２と太陽電池セル３４が固定された裏打板５９との間に残存した樹脂から構成される絶縁層６０を介して基台４２上に固定されるとともに、裏打板５９が絶縁層６０に埋設され且つ第１リード電極５６が絶縁層６０上に固着される。図１０はこの状態を示している。図１１は、この状態を拡大して第２リード電極５８の長手方向に平行な断面を示している。
【００５６】
上記押圧工程Ｐ３で用いられる押圧部材７０の押圧面には、太陽電池セル３４を収容可能であるが、裏打板５９よりは小さい幅寸法の凹溝７２が設けられており、太陽電池セル３４に押圧力が加えられることが回避されるようになっている。なお、図９に示すように、押圧工程Ｐ３では、上記押圧部材７０は、剥離シート７４を介して太陽電池セル３４が固定された裏打板５９を基台４２に向かって押圧することにより、圧力分布が均一化されるとともに、流動させられた第２樹脂が太陽電池セル３４や押圧部材７０に付着することが好適に回避される。上記剥離シート７４は、押圧工程Ｐ３における加熱温度よりも高い融点を有し且つその押圧工程における温度よりも低いガラス転移点を有する樹脂から成るものであり、たとえば２６４℃の融点と６９℃のガラス転移点を有するＰＥＴ樹脂（ポリエチレンフタル酸エステル樹脂）シートが好適に用いられる。
【００５７】
次いで、組立工程Ｐ５では、上記のようにして太陽電池セル３４が固定された裏打板５９が絶縁層６０を介して接着された基台４２に対して、透明樹脂６２および封止樹脂６４が所定位置に塗布された後、それに支柱４４を介して遮光板４８を固定し、その遮光板４８によってホモジナイザ５０を支持させることにより太陽電池モジュール４０が製造される。このようにして製造された太陽電池モジュール４０は、支持板３２上に固定され、図２および図３に示す集光型太陽光発電装置１０が組立てられる。
【００５８】
上述のように、本実施例の集光型太陽光発電装置１０に用いる発電モジュール４０の製造方法によれば、樹脂層設置工程（Ｐ１およびＰ２）において基台（放熱基台）４２と太陽電池セル３４が固定された裏打板５９との間に層状に設けられた、相対的に硬質である第１樹脂から成る第１樹脂層６０ａおよびその第１樹脂よりも軟質である第２樹脂から成る第２樹脂層６０ｂは、押圧工程Ｐ３において押圧されることにより、第１樹脂および第２樹脂のうちの相対的に軟質である第２樹脂の一部または全部が外側へ流動させられ、硬化工程Ｐ４においてそれら第１樹脂および第２樹脂が硬化させられ、裏打板５９上に固定された太陽電池セル３４が、基台４２と太陽電池セル３４が固定された裏打板５９との間に残存した樹脂から構成される絶縁層６０を介して基台４２上に固定される。このため、太陽電池セル３４が固定された裏打板５９の厚みが不均一であっても、少なくとも相対的に硬質である第１樹脂から成る第１樹脂層６０ａによって絶縁層６０が形成されるので、上記基台４２と裏打板５９との間において絶縁層６０が薄く且つ均一に形成される。
【００５９】
また、本実施例の太陽光発電モジュール４０の製造方法によれば、前記第１樹脂および第２樹脂は、エポキシ樹脂から構成され、その第１樹脂はその第２樹脂に対して相対的に高いフィラー（充填剤）の含有量を有することにより、相対的に硬質とされる。このフィラーは、単に第１樹脂と第２樹脂との間に硬さの差を設けるだけでなく、熱伝導率を高める機能を備えるものであり、たとえば、炭酸カルシウム、酸化チタン、高純度アルミナ、短鎖酸化マグネシウム、酸化ベリリウム、窒化アルミニウムなどの高い熱伝導性を有する無機材料が、好適に用いられる。
【００６０】
また、本実施例の太陽光発電モジュール４０の製造方法によれば、前記第１樹脂および第２樹脂は、８０乃至１００℃の温度において、１×１０６  Ｐａ以上の弾性差と、２×１０５  Ｐａ・Ｓ以上の粘性差とを有することから、第２樹脂は第１樹脂よりも軟質とされる。
【００６１】
また、本実施例の太陽光発電モジュール４０の製造方法によれば、樹脂層設置工程（Ｐ１およびＰ２）では、第１樹脂および第２樹脂のうちの少なくとも一方が印刷によって層状に塗布されるので、比較的容易かつ均等の厚みで第１樹脂および第２樹脂のうちの少なくとも一方が層状に塗布される。
【００６２】
また、本実施例の太陽光発電モジュール４０の製造方法によれば、裏打板５９は、太陽電池セル３４よりも大きい面積を有する金属製板材であり、押圧工程Ｐ３において絶縁層６０に埋設されることから、押圧工程Ｐ３において押圧部材７０がその裏打板５９に圧力を付加することにより、太陽電池セル３４に圧力を加えることなく比較的容易に押圧してその裏打板５９を絶縁層内に埋設することができる。
【００６３】
また、本実施例の太陽光発電モジュール４０の製造方法によれば、押圧工程Ｐ３は、押圧部材７０により、剥離シート７４を介して、太陽電池セル３４が固定された裏打板５９を基台４２に向かって加熱しつつ押圧するものであることから、押圧し加熱することにより流動させられた第２樹脂が太陽電池セル３４や押圧部材７０に付着することが好適に回避されるとともに、押圧力が均等に分散されて残留歪みが緩和される利点がある。
【００６４】
なお、前記第１樹脂および第２樹脂に加えて、その他の１又は２以上の樹脂を互いに重ねられた状態で層状に設ける樹脂層設置工程と、前記放熱基台４２と前記太陽電池セル３４が固定された裏打板５９とをそれらの間に、上記第１樹脂および第２樹脂と上記その他の１又は２以上の樹脂とを介在させた状態で相互に接近する方向に押圧する前記押圧工程Ｐ３とを設けるようにしてもよい。このようにすれば、第１樹脂層および第２樹脂層の他の位置に、第１樹脂または第２樹脂と同じ樹脂或いは第１樹脂および第２樹脂とは異なる樹脂である第３の樹脂から成る第３樹脂層を必要に応じて１または２以上用いて絶縁層を構成することができる。
【００６５】
以上、本発明を詳細に説明したが、上述したのはあくまでも一実施形態であり、本発明は当業者の知識に基づいて種々の変更、改良を加えた態様で実施することができる。
【図面の簡単な説明】
【００６６】
【図１】本発明の一実施例である太陽光発電モジュールを備えた集光型太陽光発電装置が太陽光追尾装置に装着された状態を示す斜視図である。
【図２】図１の集光型太陽光発電装置の側方から示す斜視図である。
【図３】図２の一部を拡大して示す図である。
【図４】図１に示す集光型太陽光発電装置の内部に複数配設された太陽光発電モジュールの発電作用を説明するために、そのうちの１つの発電モジュールを拡大して示す断面図である。
【図５】図４の太陽光発電モジュールにおける太陽電池セルとそれが固定された裏打板との固定構造を説明する斜視図である。
【図６】図４の太陽光発電モジュールの製造工程を説明する工程図である。
【図７】図６の第１樹脂塗着工程を説明する図である。
【図８】図６の第２樹脂塗着工程を説明する図である。
【図９】図６の押圧工程を説明する図である。
【図１０】図６の硬化工程を経た状態を示す断面図であって、第１リード電極の長手方向に平行な断面を示している。
【図１１】図６の硬化工程を経た状態を示す断面図であって、第２リード電極の長手方向に平行な断面を示している。
【符号の説明】
【００６７】
１０：集光型太陽光発電装置
３４：太陽電池セル
４０：太陽光発電モジュール
４２：基台（放熱基台）
５９：裏打板
６０：絶縁層
６０ａ：第１樹脂層
６０ｂ：第２樹脂層
７０：押圧部材
Ｐ１：第１樹脂塗着工程（樹脂層設置工程）
Ｐ２：第２樹脂塗着工程（樹脂層設置工程）
Ｐ３：押圧工程
Ｐ４：硬化工程
【図１】
2007165485.tif 000003
【図２】
2007165485.tif 000004
【図３】
2007165485.tif 000005
【図４】
2007165485.tif 000006
【図５】
2007165485.tif 000007
【図６】
2007165485.tif 000008
【図７】
2007165485.tif 000009
【図８】
2007165485.tif 000010
【図９】
2007165485.tif 000011
【図１０】
2007165485.tif 000012
【図１１】
2007165485.tif 000013